(57)【要約】【課題】フィルタのメンテナンスに手間がかからない電気掃除機を提供すること。【解決手段】電気掃除機は、電動送風機８の吸込開口８Ａから吸込負圧が吸込風路（連通路１ｂ，連通口３２，３３）を介して作用する集塵室５と、吸込風路（連通路１ｂ，連通口３２，３３）途中に着脱可能に配設された帯状フィルタ２４を備えている。また、この電気掃除機は、帯状フィルタ２４の未使用部分を収納する第１収納部２７と、帯状フィルタ２４の使用部分を収納する第２収納部２８と、帯状フィルタ２４の吸込風路途（連通路１ｂ，連通口３２，３３）中にあるフィルタ部２４ｂを第２収納部２８に移動させることにより第１収納部２７の帯状フィルタ２４の一部を吸込風路（連通路１ｂ，連通口３２，３３）途中に繰り出して吸込風路（連通路１ｂ，連通口３２，３３）途中に配設するフィルタ巻取モータ４１を備えている。【選択図】図２
2007313167.tif 000002
【特許請求の範囲】
【請求項１】
電動送風機の吸込開口から吸込負圧が吸込風路を介して作用する集塵室と、前記吸込風路途中に着脱可能に配設された塵埃分離用のフィルタを備える電気掃除機であって、
前記フィルタの未使用部分を収納する第１収納部と、前記フィルタの使用部分を収納する第２収納部と、前記フィルタの前記吸込風路途中にある部分を前記第２収納部に移動させることにより前記第１収納部のフィルタの一部を前記吸込風路途中に繰り出して前記吸込風路途中に配設するフィルタ移動手段を備えることを特徴とする電気掃除機。
【請求項２】
請求項１に記載の電気掃除機において、前記第１収納部には前記フィルタの未使用部分を捲回した繰出ローラが配設され、前記第２収納部には前記フィルタの使用部分を捲回した巻取ローラが配設されていると共に、前記フィルタ移動手段は前記フィルタを前記巻取ローラに巻き取る方向に前記巻取ローラを回転駆動可能なフィルタ巻取モータであることを特徴とする電気掃除機。
【請求項３】
請求項１又は２に記載の電気掃除機において、前記繰出ローラと巻取ローラとの間には前記フィルタの前記繰出ローラから前記吸込風路途中に繰り出された部分を波形状にする波形状ガイド部が設けられていることを特徴とする電気掃除機。
【請求項４】
請求項１〜３のいずれか一つに記載の電気掃除機において、前記第１収納部と第２収納部を有し且つ前記吸込風路の一部である連通口を設けたカセットが設けられ、前記カセットは前記電動送風機及び集塵室が設けられた掃除機本体に着脱可能に設けられていることを特徴とする電気掃除機。
【発明の詳細な説明】
【技術分野】
【０００１】
この発明は、着脱可能な塵埃分離用のフィルタを備える電気掃除機に関するものである。
【背景技術】
【０００２】
従来の電気掃除機としては、掃除機本体に集塵室とこの集塵室に吸込負圧を作用させる電動送風機を設け、この集塵室に集塵袋である紙パックフィルタを着脱可能に装着し、この紙パックフィルタに連通するように集塵ホースを掃除機本体に着脱可能に接続すると共に、集塵ホースに手元操作パイプ及び延長パイプを介して吸込口体を接続したものが知られている（例えば、特許文献１参照）。このような電気掃除機では、集塵室と電動送風機の吸込開口との間に細塵捕捉用の二次フィルタを着脱可能に配設しているのが普通である。
【０００３】
また、慣性分離タイプの電気掃除機においても、集塵容器の後部にプリーツフィルタ等の細塵捕捉用の二次フィルタを設けている。
【特許文献１】特開平８−１６８４５１号公報
【発明の開示】
【発明が解決しようとする課題】
【０００４】
しかしながら、例えば上述した二次フィルタが細塵で目詰まりした場合、集塵室に作用する電動送風機の吸込負圧が低下するため、二次フィルタの除塵作業等のメンテナンスを定期的に行う必要があり、手間がかかるものであった。
【０００５】
そこで、この発明は、フィルタのメンテナンスに手間がかからない電気掃除機を提供することを目的とするものである。
【課題を解決するための手段】
【０００６】
この目的を達成するため、この発明は、電動送風機の吸込開口から吸込負圧が吸込風路を介して作用する集塵室と、前記吸込風路途中に着脱可能に配設された塵埃分離用のフィルタを備える電気掃除機であって、前記フィルタの未使用部分を収納する第１収納部と、前記フィルタの使用部分を収納する第２収納部と、前記フィルタの前記吸込風路途中にある部分を前記第２収納部に移動させることにより前記第１収納部のフィルタの一部を前記吸込風路途中に繰り出して前記吸込風路途中に配設するフィルタ移動手段を備える電気掃除機としたことを特徴とする。
【発明の効果】
【０００７】
この構成によれば、フィルタの目詰まりがあっても、フィルタの除塵作業や交換作業を定期的にすることなく、フィルタの未使用部分を吸込風路に移動させることで、集塵室に作用する電動送風機の吸込負圧が低下するのを防止でき、フィルタのメンテナンスに手間がかからないようにできる。
【発明を実施するための最良の形態】
【０００８】
以下、この発明の実施の形態を図面に基づいて説明する。
[構成]
図１において、１は電気掃除機の掃除機本体である。この掃除機本体１は、下ケース２と、下ケース２の後部上に着脱可能に取り付けられた上ケース３と、下ケース２の前部上に上下に開閉可能に取り付けられた集塵室カバー４を有する。そして、下ケース２の前部と集塵室カバー４との間には集塵室５が形成され、下ケース２の後部との間には送風機室６が形成されている。
【０００９】
この集塵室５と送風機室６は図２Ａに示した隔壁１ａにより区画され、この隔壁１ａには集塵室５と送風機室６とを連通させる連通路（吸込風路の一部）１ｂが形成されている。尚、Ｃは電源コード、Ｐは電源コードＣの自由端部に設けられた電源プラグである。
【００１０】
そして、図２Ａに示した如く、連通路１ｂの上流端は集塵室５内に配設したカセット式フィルタ（二次フィルタ装置）２０で閉成されている。
【００１１】
また、図１に示したように、下ケース２の前端部には集塵室５に連通するホース接続口２ａが形成され、集塵室５内には集塵袋である紙パックフィルタ７が配設され、送風機室６には吸込開口８Ａを有する電動送風機８が配設されている。この電動送風機８の吸込開口８Ａは連通路１ｂ及びカセット式フィルタ（フィルタ装置）２０を介して後述するように集塵室５に連通していて、電動送風機８の吸込負圧は連通路１ｂ及びフィルタ装置２０を介して集塵室５に作用するようになっている。
【００１２】
更に、ホース接続口２ａ及び紙パックフィルタ７には集塵ホース９の一端部に設けられた接続筒体９ａが接続されている。この集塵ホース９の他端部には手元操作パイプ１０が接続され、手元操作パイプ１０には延長パイプ１１を介して吸込口体１２が接続されている。
【００１３】
この手元操作パイプ１０には操作パネル１３が設けられている。この操作パネル１３には、吸込口体１２に設けられる回転清掃体駆動用モータ（図示せず）のＯＮ・ＯＦＦに用いられるスイッチＳａと、電動送風機８のＯＮ操作及びその吸込風量の「弱」・「中」の切り替えに用いられるスイッチＳｂと、電動送風機８をＯＮさせて吸込風量を「強」にするスイッチＳｃと、電動送風機８のＯＦＦ操作に用いられるスイッチＳｄが設けられている。
（カセット式フィルタ２０）
また、図２Ａに示したように、隔壁１ａの集塵室５側の面には、隔壁１ａの周囲縁部に沿って配設されたシールリング２１が固着されている（図３参照）。このシールリング２１は、軟質のゴム・合成樹脂等から形成されている。しかも、集塵室５の底壁５ａ及び左右の側壁５ｂ，５ｂには、隔壁１ａに近接させた一連の逆Ｕ字状の係止リブ２２が突設されている。
【００１４】
上述したカセット式フィルタ（二次フィルタ装置）２０は、図２，図３に示したようにケース（カセット）２３と、織布に樹脂を含浸させて形成した多孔質製で且つ柔軟性のある帯状フィルタ（フィルタ本体）２４を有する。そして、この帯状フィルタ２４の上流側（集塵室５側）の面には、例えば孔径が０．１〜１０μｍ程度の微細孔を有するポリテトラフルオロエチレンやポリフッ化ビニリデン等から表面が滑らかに形成された多孔質薄膜（図示せず）が設けられている。
【００１５】
また、ケース２３は、図２，図３に示したように前ケース（第１ケース）２５と、後ケース（第２ケース）２６を有する。この前ケース２５は、図２，図３，図４に示したように左右両側部に位置させた第１，第２収納部２７，２８と、この第１，第２収納部（第１，第２フィルタ収納部）２７，２８間を連設している平坦な連設部２９を有する。この前ケース２５には、図３，図４に示したように第１，第２収納部２７，２８の側部及び連設部２９の下端部に跨る略Ｕ字状の被係止リブ２５ａが形成されている。
【００１６】
第１，第２収納部２７，２８は、図２に示したように掃除機本体１の前側に連設部２９の両側から膨出すると共に上下に延びている。また、この第１収納部２７には図２Ｂ及び図４Ａに示した第１フィルタ収納室（未使用フィルタ収納室）３０が形成され、第２収納部２８には図２Ｂ及び図４Ｂに示した第２フィルタ収納室（使用フィルタ収納室）３１が形成されている。このフィルタ収納室３０，３１は図２Ｂに示したように掃除機本体１の後方（図中、右側）に開放している。
【００１７】
また、連設部２９には、図２Ａに示したように、後方に開放するフィルタガイド凹部２９ａ及びこのガイド凹部２９ａに開口する連通口（吸込風路の一部）３２が形成されている。そして、このガイド凹部２９ａは、図２Ａ，図２Ｂに示したように後ケース２６で閉成されている。この後ケース２６にも前側に開放するガイド凹部２６ａが形成されている。尚、後ケース２６は、例えば図示を省略した係止爪等で前ケース２５に係止固定される。
【００１８】
また、この後ケース２６は、図２Ｂに示したように第１フィルタ収納室３０及び第２フィルタ収納室３１を閉成している。しかも、この後ケース２６にも連通口３２に対応し且つガイド凹部２６ａに開口する連通口（吸込風路の一部）３３が形成されている。
【００１９】
また、第１フィルタ収納室３０内には図４Ａに示したように上下に延びる第１のフィルタ巻取軸（繰出ローラ）３４が配設され、第２フィルタ収納室３１内には図４Ｂに示したように上下に延びる第２のフィルタ巻取軸（巻取ローラ）３５が配設されている。
【００２０】
そして、第１のフィルタ巻取軸３４の上下端部は図４Ａに示したように第１収納部２７の上壁２７ａ及び下壁２７ｂに回転自在に保持され、第２のフィルタ巻取軸３５の上下端部は図４Ｂに示したように第２収納部２８の上壁２８ａ及び下壁２８ｂに回転自在に保持されている。この第２のフィルタ巻取軸３５の下端部には図４に示した従動ギヤ３６が図７のように固定されている。この従動ギヤ３６は、第２収納部２８の下端部に設けたスリット３７に一部が配設されている。
【００２１】
しかも、図４Ａの如く第１のフィルタ巻取軸３４には帯状フィルタ２４の一端部側（未使用部分）が捲回され、図４Ｂの如く第２のフィルタ巻取軸３５には帯状フィルタ２４の内の他端部側が捲回されている。
【００２２】
これにより、帯状フィルタ２４は、第１のフィルタ巻取軸３４に捲回された繰り出しロール部２４ａと、第１のフィルタ巻取軸３４から繰り出されたフィルタ部２４ｂと、第２のフィルタ巻取軸３５に捲回された巻取ロール部２４ｃを有する。
【００２３】
このフィルタ部２４ｂは、連通口（吸込風路の一部）３２，３３を閉成するように、図２Ａに示したように前ケース２５の連設部２９と後ケース２６との間に保持されている。尚、フィルタ部２４ｂは、前ケース２５の連設部２９と後ケース２６との間に長手方向（図２の左右方向）に移動可能に設けられている。
【００２４】
また、図５，図７に示したように、連設部２９には前側に突出する方形枠３８が形成されている。この方形枠３８は、図７に示したように第２収納部２８に隣接している。また、方形枠３８には、図５に示したように複数の係止爪３９が形成されている。この方形枠３８には図７に示したようにモータ収納ケース４０の後側開口端部４０ａが嵌合し、このモータ収納ケース４０に設けた係止孔４０ｂ（図５参照）に方形枠３８の係止爪３９が係止される。尚、この係止状態の図示は省略している。
【００２５】
更に、モータ収納ケース４０内には図４Ｃに示したようにフィルタ巻取モータ４１が固定されている。このフィルタ巻取モータ４１の出力軸４１ａには駆動ギヤ４２が固定されている。この駆動ギヤ４２は、図７の如くモータ収納ケース４０の下端部に設けた切欠４０ｃ（図５参照）を介して第２のフィルタ巻取軸３５の従動ギヤ３６に噛合している。また、モータ収納ケース４０の上端部には図２，図３〜図５に示したように配線ダクト部４３が一体に設けられ、この配線ダクト部４３には図５に示したフィルタ巻取モータ４１の電源線４４，４５が図４Ｃの如く配線されるようになっている。そして、電源線４４，４５の配線ダクト部４３から引き出される上端部にはコネクタ４６が設けられている。
【００２６】
このようなカセット式フィルタ２０は、図２Ａに示したように、後ケース２６の後面の周縁部を隔壁１ａのシールリング２１に弾接させると共に、被係止リブ２５を集塵室５内の係止リブ２２の後部側（図２Ａの右側）に係止させることにより、掃除機本体１の集塵室５の後端部に着脱可能に取り付けられている。これにより、隔壁１ａの連通路１ｂの前側がカセット式フィルタ２０で閉成されていると共に、電動送風機８の吸込開口８Ａと集塵室５が隔壁１ａの連通路（吸込風路の一部）１ｂ，カセット式フィルタ２０のフィルタ部２４ｂ及び連通口（吸込風路の一部）３２，３３を介して連通している。
【００２７】
尚、掃除機本体１の上部内には図示しない制御基板が設けられていて、この制御基板の制御回路（図１、図２，図３では図示せず）に接続される基板側コネクタ（図示せず）が図３の隔壁１ａに設けた配線口１ｃから引き出されるようになっている。この基板側コネクタにはフィルタ巻取モータ４１のコネクタ４６が着脱可能に接続される。そして、カセット式フィルタ２０を図２の如く集塵室５の後端部に取り付けたとき（セットしたとき）配線ダクト部４３が配線口１ｃを閉塞するようになっている。
【００２８】
また、図示しない制御基板には図８の制御回路（制御手段）４７が設けられており、この制御回路４７には操作パネル１３のスイッチＳａ〜Ｓｄからの操作信号が入力される。また、この制御回路４７は、電動送風機８及びフィルタ巻取モータ４１を駆動制御するようになっている。
[作用]
次に、このような構成の電気掃除機の作用を説明する。
【００２９】
このような構成において、図１のスイッチＳｂ又はスイッチＳｃをＯＮさせると、制御回路４７は電動送風機８を駆動させる。これにより、電動送風機８の吸込負圧は、隔壁１ａの連通路２２及びカセット式フィルタ２０の連通口３３，フィルタ部２４ｂ，連通口３２を介して集塵室５に作用する。また、この吸込負圧は、紙パックフィルタ７，集塵ホース９，手元操作パイプ１０及び延長パイプ１１を介して吸込口体１２の吸込室（図示せず）に作用する。
【００３０】
この吸込負圧により清掃面の塵埃は吸込口体１２の吸込室（図示せず）に空気と共に吸い込まれる。そして、この塵埃を含む空気は、延長パイプ１１，手元操作パイプ１０及び集塵ホース９を介して紙パックフィルタ７内に吸い込まれ、紙パックフィルタ７を透過する。この際、塵埃は紙パックフィルタ７に捕捉される。
【００３１】
この紙パックフィルタ７を透過した空気は、カセット式フィルタ２０の連通口３３，フィルタ部２４ｂを透過する。この際、紙パックフィルタ７を透過した細塵がカセット式フィルタ２０のフィルタ部２４ｂに捕捉される。
【００３２】
そして、フィルタ部２４ｂを透過した空気は、カセット式フィルタ２０の連通口３２及び隔壁１ａの連通路２２を介して吸込開口８Ａから電動送風機８内に吸い込まれて、その内部を冷却した後、電動送風機８外に排出され、掃除機本体１の図示しない排気口から大気に排出される。
【００３３】
尚、このような電動送風機８の駆動状態において、スイッチＳａを押して図示しない回転清掃体の駆動モータを駆動させると、制御回路４７は回転清掃体の駆動モータ（図示せず）を駆動して、回転清掃体により清掃面の塵埃を掻き上げるようになっている。
【００３４】
ところで、カセット式フィルタ２０の連通口３２，３３に臨むフィルタ部２４ｂは、清掃時間の経過に伴い細塵による目詰まりが進行する。そして、制御回路４７は、この目詰まりにより電動送風機８の吸込風量が低下する。このフィルタ部２４ｂの目詰まりの進行は、紙パックフィルタ７を交換する時期にはある程度進んでいる。
【００３５】
したがって、フィルタ巻取モータ４１を動作させるスイッチを設けておいて、紙パックフィルタ７を交換したときにこのスイッチを押すことで、制御回路４７によりフィルタ巻取モータ４１を所定時間駆動して、第２のフィルタ巻取軸３５を所定回転数だけ回転させ、帯状フィルタ２４のフィルタ部２４ｂを第２のフィルタ巻取軸３５に所定量だけ巻き取るようにする。そして、この巻取により、第１のフィルタ巻取軸３４から帯状フィルタ２４の未使用部分が繰り出されて、帯状フィルタ２４の未使用部分が連通口３２，３３に臨ませられる。
【００３６】
また、このような目詰まりの進行は、清掃時間との関係で概略的に試験等で把握することもできる。従って、清掃時間が所定時間経過したのを検出するタイマーを設けておいて、このタイマーが所定時間を計時したときにフィルタ巻取モータ４１を制御回路４７で駆動制御するようにすることもできる。
【００３７】
更に、フィルタ巻取モータ４１を押している間だけ駆動するスイッチを設けて、このスイッチの操作によりフィルタ巻取モータ４１を駆動操作するようにしても良い。
【００３８】
また、フィルタ巻取モータ４１を駆動するスイッチを設けて、このスイッチの操作によりフィルタ巻取モータ４１を所定回転数だけ駆動操作して、第２のフィルタ巻取軸３５を回転させることにより、第２のフィルタ巻取軸３５に帯状フィルタ２４の使用部分を巻き取ることにより、帯状フィルタ２４の未使用部分を第１のフィルタ巻取軸３４から繰り出させて、帯状フィルタ２４の未使用部を連通口３２，３３に臨ませるようにしても良い。
【００３９】
また、以上説明した例では、フィルタ巻取モータ４１により第２のフィルタ巻取軸３５を回転駆動して、帯状フィルタ２４の使用部分を巻き取るようにした例を示したが、必ずしもこれに限定されるものではない。
【００４０】
例えば、第２のフィルタ巻取軸３５の上端部を第２収納部２８の上端から上方に突出させておき、この第２のフィルタ巻取軸３５の上端部に操作ハンドルと着脱可能に且つ軸線回りには相対回転不能に係合するハンドル係合部を設けた構成としても良い。
【００４１】
この構成では、フィルタ部２４ｂが細塵で目詰まりした場合に、ハンドル係合部に操作ハンドルを係合して、第２のフィルタ巻取軸３５を回転操作することにより、第２のフィルタ巻取軸３５に帯状フィルタ２４の使用部分を巻き取ることにより、帯状フィルタ２４の未使用部分を第１のフィルタ巻取軸３４から繰り出させて、この帯状フィルタ２４の未使用部を連通口３２，３３の臨ませることができる。
（変形例）
また、上述したケース２３を図９のように形成しても良い。尚、その他の構成は上述した実施例と同じであるので、その説明は省略する。
【００４２】
図９において、前ケース２５の連通口３３の上下縁部には左右方向に波形状に延びる波形壁４５，４６が設けられ、後ケース２６の上壁４７及び下壁４８には左右方向に延びる波形突部４７ａ，４８ａがそれぞれ設けられている。また、後ケース２６にはフランジ４９が設けられ、このフランジ４９が前ケース２５の後端に当接するように取り付けられる。この際、波形壁４５と波形突部４７ａとの間に波形状ガイド溝（ガイド部）５０が形成され、波形壁４６と波形突部４８ａとの間に波形状ガイド溝（ガイド部）５１が形成される。
【００４３】
そして、帯状フィルタ２４のフィルタ部２４ｂは、図９の連通口３２，３３に臨む部分において図１０のガイド溝５０，５１により図１１に示したように波形状に形成される。
【００４４】
尚、波形状ガイド溝５０，５１の屈曲部（頂部）には大きなＲを設けておくことで、帯状フィルタ２４を上述した第２のフィルタ巻取軸３５に巻き取る際、フィルタ部２４ｂが波形状ガイド溝５０，５１内を第２のフィルタ巻取軸３５側に滑らかに移動できるようにしておくと良い。
【００４５】
以上説明したように、この発明の実施の形態の電気掃除機は、電動送風機８の吸込開口８Ａから吸込負圧が吸込風路（連通路１ｂ，連通口３２，３３）を介して作用する集塵室５と、前記吸込風路（連通路１ｂ，連通口３２，３３）途中に着脱可能に配設された塵埃分離用のフィルタ（帯状フィルタ２４）を備えている。また、この電気掃除機は前記フィルタ（帯状フィルタ２４）の未使用部分を収納する第１収納部２７と、前記フィルタ（帯状フィルタ２４）の使用部分を収納する第２収納部２８と、前記フィルタ（帯状フィルタ２４）の前記吸込風路（連通路１ｂ，連通口３２，３３）途中にある部分（フィルタ部２４ｂ）を前記第２収納部２８に移動させることにより前記第１収納部２７のフィルタ（帯状フィルタ２４）の一部を前記吸込風路（連通路１ｂ，連通口３２，３３）途中に繰り出して前記吸込風路（連通路１ｂ，連通口３２，３３）途中に配設するフィルタ移動手段（フィルタ巻取モータ４１）を備えている。
【００４６】
この構成によれば、フィルタ（帯状フィルタ２４）の目詰まりがあっても、フィルタ（帯状フィルタ２４）の除塵作業や交換作業を定期的にすることなく、フィルタ（帯状フィルタ２４）の未使用部分を吸込風路途中に移動させることで、集塵室５に作用する電動送風機８の吸込負圧が低下するのを防止でき、フィルタ（帯状フィルタ２４）のメンテナンスに手間がかからないようにできる。
【００４７】
また、この発明の実施の形態の電気掃除機において、前記第１収納部２７には前記フィルタ（帯状フィルタ２４）の未使用部分を捲回した繰出ローラ（第１のフィルタ巻取軸３４）が配設され、前記第２収納部２８には前記フィルタ（帯状フィルタ２４）の使用部分を捲回した巻取ローラ（第２のフィルタ巻取軸３５）が配設されている。しかも、前記フィルタ移動手段は前記フィルタ（帯状フィルタ２４）を前記巻取ローラ（第１のフィルタ巻取軸３４）に巻き取る方向に前記巻取ローラ（第２のフィルタ巻取軸３５）を回転駆動可能なフィルタ巻取モータ４１としている。
【００４８】
この構成によれば、所定時間毎あるいは吸込風量が所定風量になったとき、フィルタ巻取モータ４１を駆動させて、フィルタ（帯状フィルタ２４）を巻取ローラ（第２のフィルタ巻取軸３５）に所定量づつ巻き取らせることで、フィルタ（帯状フィルタ２４）の未使用部分を吸込風路途中に容易に且つ自動的に配設することができる。
【００４９】
更に、この発明の実施の形態の電気掃除機において、前記繰出ローラ（第１のフィルタ巻取軸３４）と巻取ローラ（第２のフィルタ巻取軸３５）との間には前記フィルタ（帯状フィルタ２４）の前記繰出ローラ（第１のフィルタ巻取軸３４）から前記吸込風路（連通路１ｂ，連通口３２，３３）途中に繰り出された部分を波形状にする波形状ガイド部（ガイド溝５０，５１）が設けられている。
【００５０】
この構成によれば、簡単な構成で波形状のフィルタ部２４ｂを形成できると共に、このフィルタ部２４ｂの表面積を広くして通気抵抗を減少させることができる。しかも、フィルタ部２４ｂを波形状に形成しても、フィルタ（帯状フィルタ２４）の未使用部分を吸込風路途中に容易に配設することができる。
【００５１】
また、この発明の実施の形態の電気掃除機において、前記第１収納部２７と第２収納部２８を有し且つ前記吸込風路の一部である連通口３２，３３を設けたカセット（ケース２３）が設けられ、前記カセット（ケース２３）は前記電動送風機８及び集塵室５が設けられた掃除機本体１に着脱可能に設けられている。
【００５２】
この構成によれば、フィルタの交換やメンテナンスを簡易且つ迅速に行うことができる。
【００５３】
尚、以上説明した実施例では、一次フィルタである紙パックフィルタと二次フィルタを用いるタイプの電気掃除機において、この発明にかかるカセット式フィルタ２０を適用した例を示したが、必ずしもこれに限定されるものではない。例えば、慣性分離タイプの集塵容器を有する電気掃除機にカセット式フィルタ２０を適用することもできる。
【図面の簡単な説明】
【００５４】
【図１】この発明に係る電気掃除機の概略斜視図である。
【図２】図１の掃除機本体の要部を示す部分斜視図である。
【図２Ａ】図２のＡ１−Ａ１線に沿う断面図である。
【図２Ｂ】図２ＡのＡ２−Ａ２線に沿う断面図である。
【図３】図２のカセット式フィルタを掃除機本体から取り外した状態の斜視図である。
【図４】図２のカセット式フィルタの分解斜視図である。
【図４Ａ】図２のカセット式フィルタの第１収納部の部分断面図である。
【図４Ｂ】図２のカセット式フィルタの第２収納部の部分断面図である。
【図４Ｃ】図２のカセット式フィルタのモータケースの部分断面図である。
【図５】図２のカセット式フィルタのモータケースを分解した状態の斜視図である。
【図６】図２の第２収納部の下部の部分説明図である。
【図７】図２のＡ３−Ａ３線に沿う断面図である。
【図８】図１の電気掃除機の制御回路図である。
【図９】図２に示したカセット式フィルタの変形例を示す部分分解斜視図である。
【図１０】図９の前ケースと後ケースを組み付けたときに形成される波形状のガイド溝の説明図である。
【図１１】図９の前ケースと後ケースを組み付けたときのカセット式フィルタの斜視図である。
【符号の説明】
【００５５】
１・・・掃除機本体
１ｂ・・・連通路（吸込風路の一部）
８・・・電動送風機
８Ａ・・・吸込開口
２３・・・ケース（カセット）
２４・・・帯状フィルタ（フィルタ）
２４ｂ・・・フィルタ部
２７・・・第１収納部
２８・・・第２収納部
３２，３３・・・連通口（吸込風路の一部）
３４・・・１のフィルタ巻取軸（繰出ローラ）
３５・・・２のフィルタ巻取軸（巻取ローラ）
４１・・・フィルタ巻取モータ（フィルタ移動手段）
５０，５１・・・ガイド溝（波形状ガイド部）
【図１】
2007313167.tif 000003
【図２】
2007313167.tif 000004
【図２Ａ】
2007313167.tif 000005
【図２Ｂ】
2007313167.tif 000006
【図３】
2007313167.tif 000007
【図４】
2007313167.tif 000008
【図４Ａ】
2007313167.tif 000009
【図４Ｂ】
2007313167.tif 000010
【図４Ｃ】
2007313167.tif 000011
【図５】
2007313167.tif 000012
【図６】
2007313167.tif 000013
【図７】
2007313167.tif 000014
【図８】
2007313167.tif 000015
【図９】
2007313167.tif 000016
【図１０】
2007313167.tif 000017
【図１１】
2007313167.tif 000018